(57)【要約】【課題】デジタル放送を放送波以外のネットワークで再送信する際に、１ＴＳあたりの伝送容量を低減できるＴＳ分離／セクション編集方法を提供する。【解決手段】ＴＶ放送サービスの映像・音声・字幕・文字スーパー・連動データ放送のＥＳ（ＴＶＥＳ）と、独立データ放送サービスのＥＳ（データ放送ＥＳ）と、ＴＳ内で１テーブルとなるサービス情報（共通ＰＳＩ／ＳＩ）と、ＴＳ内でサービス毎にテーブルが異なるセクション（ＴＶＰＳＩ／ＳＩおよびデータ放送ＰＳＩ／ＳＩ）とで構成されるデジタル放送ＴＳ１０を、ＴＶ放送ＴＳ１３と独立データ放送ＴＳ１４の２ＴＳに分離し、それぞれ不必要なＥＳパケット（データ放送ＥＳとデータ放送ＰＳＩ／ＳＩあるいはＴＶＥＳとＴＶＰＳＩ／ＳＩ）を、ＴＶ放送用のＴＳ分離／セクション編集装置１１および独立データ放送用のＴＳ分離／セクション編集装置１２によって削除（ＮＵＬＬパケットに置換）する。【選択図】図１
2010011437.tif 000002
【特許請求の範囲】
【請求項１】
デジタル放送ＴＳ（Ｔｒａｎｓｐｏｒｔ  Ｓｔｒｅａｍ）から、ＴＶ放送サービスに用いるＴＶ放送用のＴＳのみを抽出するＴＶ放送用のＴＳ分離／セクション編集手段と、
前記デジタル放送ＴＳから、独立データ放送サービスに用いる独立データ放送用のＴＳのみを抽出する独立データ放送用のＴＳ分離／セクション編集手段と
を備えたことを特徴とするＴＳ分離／セクション編集装置。
【請求項２】
前記ＴＶ放送用および独立データ放送用のＴＳ分離／セクション編集手段は、不要なＥＳ（Ｅｌｅｍｅｎｔａｒｙ  Ｓｔｒｅａｍ）、セクションを削除するとともに、削除に伴いＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）セクションの関連パラメタを修正する機能を各々有していることを特徴とする請求項１に記載のＴＳ分離／セクション編集装置。
【請求項３】
前記ＴＶ放送用および独立データ放送用のＴＳ分離／セクション編集手段は、さらに、視聴制限方法の変更に伴いＰＳＩ／ＳＩセクションを修正する機能を各々有していることを特徴とする請求項２に記載のＴＳ分離／セクション編集装置。
【請求項４】
ＴＶ放送用のＴＳ分離／セクション編集手段が、デジタル放送ＴＳ（Ｔｒａｎｓｐｏｒｔ  Ｓｔｒｅａｍ）から、ＴＶ放送サービスに用いるＴＶ放送用のＴＳのみを抽出する第１のＴＳ分離／セクション編集ステップと、
独立データ放送用のＴＳ分離／セクション編集手段が、前記デジタル放送ＴＳから、独立データ放送サービスに用いる独立データ放送用のＴＳのみを抽出する第２のＴＳ分離／セクション編集ステップと
を備えたことを特徴とするＴＳ分離／セクション編集方法。
【請求項５】
前記第１および第２のＴＳ分離／セクション編集ステップは、不要なＥＳ（Ｅｌｅｍｅｎｔａｒｙ  Ｓｔｒｅａｍ）、セクションの削除および削除に伴いＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）セクションの関連パラメタの修正を各々実行することを特徴とする請求項４に記載のＴＳ分離／セクション編集方法。
【請求項６】
前記第１および第２のＴＳ分離／セクション編集ステップは、さらに、視聴制限方法の変更に伴いＰＳＩ／ＳＩセクションの修正を各々実行することを特徴とする請求項５に記載のＴＳ分離／セクション編集方法。
【請求項７】
コンピュータを請求項１ないし３のいずれか１項に記載の各手段として機能させるためのＴＳ分離／セクション編集プログラム。
【発明の詳細な説明】
【技術分野】
【０００１】
本発明は、映像、音声、字幕、データ放送、ＰＣＲ（Ｐｒｏｇｒａｍ  Ｃｌｏｃｋ  Ｒｅｆｅｒｅｎｃｅ）、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）などから構成されるデジタル放送番組を一般の視聴者向けに再送信する際に、番組を送信する伝送容量を低減するため、ＴＳ（Ｔｒａｎｓｐｏｒｔ  Ｓｔｒｅａｍ）を分離、およびＰＳＩ／ＳＩセクションを編集する装置、方法、プログラムに関するものである。
【背景技術】
【０００２】
複数チャネルにおよぶ高品質・大容量のデジタル放送番組を放送波以外の他のネットワーク上で再送する際には、伝送容量の増大が課題となる。
【０００３】
特にＩＰマルチキャストを活用したＩＰネットワーク上での再送信においては、ユーザのアクセスライン上に伝送できる信号の総量に上限があることから、ユーザの選択した１ＴＳ（１マルチキャストストリーム）のみをアクセスラインに送信する方式が取られることが多い。
【０００４】
受信機は、ユーザが選択した１ＴＳを伝送する１マルチキャストストリームのマルチキャストアドレスに対して、ストリーム受信要求を行い、これに基づいてネットワークから、ユーザの選択した１ＴＳを伝送する１マルチキャストストリームのみがアクセスラインに送信される。
【０００５】
このような状況で、複数のユーザが一つのアクセスラインを共有したり、一つの受信機から視聴と別番組の同時録画を実行したりする場合などでは、アクセスライン上に送信されるＩＰマルチキャストストリームが複数になるため、１マルチキャストストリーム（１ＴＳ）あたりの伝送容量をできるだけ低減する必要がある。
【０００６】
映像については、より圧縮率の高い符号化方式を適用することで、情報内容の欠落や映像品質の劣化なしに伝送容量を低減することができるが、データ放送などのデータ系のストリームについては、符号化方式の変更では、伝送容量を低減することはできない。
【０００７】
データ放送の伝送容量を低減するための従来技術として、非特許文献１に記載される方法がある。この方法では、図１０に示すように、繰り返し伝送され、比較的冗長性が高いデータ放送のＴＳパケットの再送周期を延伸することで、伝送量を圧縮する。
【０００８】
また、非特許文献１に記述される方式では、データカルーセルのうち、映像との同期表示やデータ内容更新の通知に必要である、イベントメッセージ（Ｅ）とＤＩＩ（Ｄｏｗｎｌｏａｄ  Ｉｎｆｏ  Ｉｎｄｉｃａｔｉｏｎ）はスルー出力とすることにより、再送周期を延伸した場合でも、映像との同期表示の精度、内容表示のタイミングについて、放送波と同様にサービスできるようにすることができる方式である。
【０００９】
尚、図１０においてＤＤＢは、Ｄｏｗｎｌｏａｄ  Ｄａｔａ  Ｂｌｏｃｋである。
【先行技術文献】
【非特許文献】
【００１０】
【非特許文献１】「デジタル放送ＩＰ再送サービスのための高効率伝送方式」、社団法人映像情報メディア学会技術報告Ｖｏｌ．３２，Ｎｏ．７，ｐｐ．２９−３２、ＣＥ２００８−１８、ＭＭＳ２００８−１８（Ｆｅｂ．２００８）
【発明の概要】
【発明が解決しようとする課題】
【００１１】
従来方式では、データ放送の伝送容量が比較的大きい場合や、再送信されるネットワークの伝送帯域が狭い場合、さらなる伝送容量の低減が望まれる場合でも、ＤＩＩやＤＤＢ、イベントメッセージなど、最低限必要なデータは送信しなければならないため、さらなる伝送容量の低減は難しい。また、従来方式では、さらなる伝送容量の低減を求め、データ放送のＴＳパケットの再送周期を大幅に延伸すると、データカルーセルのモジュールの受信完了までの時間が延びてしまうため、放送波で受信する場合に比べ、データ放送の表示が遅くなってしまう可能性があり、放送の同一性を保持することは難しい。
【００１２】
本発明は上記課題を解決するものであり、その目的は、デジタル放送を放送波以外のネットワークで再送信する際に、１ＴＳあたりの伝送容量を低減することができるＴＳ分離／セクション編集装置、ＴＳ分離／セクション編集方法およびＴＳ分離／セクション編集プログラムを提供することにある。
【課題を解決するための手段】
【００１３】
上記課題を解決するための本発明の概要を図１に示す。本発明では、ＴＶ放送サービスの映像・音声・字幕・文字スーパー・連動データ放送のＥＳ（Ｅｌｅｍｅｎｔａｒｙ  Ｓｔｒｅａｍ）（ＴＶ  ＥＳ）と、独立データ放送サービスのＥＳ（データ放送ＥＳ）と、ＴＳ内で１テーブルとなるセクション（ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ））（共通ＰＳＩ／ＳＩ）と、ＴＳ内でサービス毎にテーブルが異なるセクション（ＰＭＴ（Ｐｒｏｇｒａｍ  Ｍａｐ  Ｔａｂｌｅ）、ＥＩＴ（Ｅｖｅｎｔ  Ｉｎｆｏｒｍａｔｉｏｎ  Ｔａｂｌｅ））（ＴＶ  ＰＳＩ／ＳＩおよびデータ放送ＰＳＩ／ＳＩ）とで構成されるデジタル放送ＴＳ１０を、ＴＶ放送ＴＳ１３と独立データ放送ＴＳ１４の２ＴＳに分離し、それぞれ不必要なＥＳ、およびセクション（ＴＶ放送ＴＳの場合はデータ放送ＥＳとデータ放送ＰＳＩ／ＳＩ、独立データ放送ＴＳの場合はＴＶ  ＥＳとＴＶ  ＰＳＩ／ＳＩ）を、ＴＶ放送用のＴＳ分離／セクション編集装置１１および独立データ放送用のＴＳ分離／セクション編集装置１２によって削除（ＮＵＬＬパケットに置換）することにより、以下を実現する。
（１）１ＴＳあたりの伝送容量を低減する。  
（２）デジタル放送の放送波と同様の内容の独立データ放送を別ＴＳとして送信することにより、選局直後からデータ放送の受信を開始可能とする。
【００１４】
また、デジタル放送の独立データ放送を別ＴＳに分離する場合、元のサービス情報（ＰＳＩ／ＳＩセクション）とは不整合が生じるため、ＰＳＩ／ＳＩセクションの内容を編集し、整合性がとれるようにすることを可能とする。
【００１５】
さらに、本発明では、デジタル放送を放送波以外のネットワークで再送信するにあたり、有料放送のための視聴制限システムが異なる場合、サービス情報（契約確認情報等）に不整合が生じるため、ＰＳＩ／ＳＩセクションの内容を編集し、整合性がとれるようにすることを可能とする。
【００１６】
すなわち、請求項１に記載のＴＳ分離／セクション編集装置は、デジタル放送ＴＳ（Ｔｒａｎｓｐｏｒｔ  Ｓｔｒｅａｍ）から、ＴＶ放送サービスに用いるＴＶ放送用のＴＳのみを抽出するＴＶ放送用のＴＳ分離／セクション編集手段と、前記デジタル放送ＴＳから、独立データ放送サービスに用いる独立データ放送用のＴＳのみを抽出する独立データ放送用のＴＳ分離／セクション編集手段とを備えることを特徴としている。
【発明の効果】
【００１７】
（１）請求項１〜７に記載の発明によれば、デジタル放送ＴＳを、ＴＶ放送ＴＳと独立データ放送ＴＳの２ＴＳに分離することにより、１ＴＳあたりの伝送容量を低減することを可能とする。また本発明では前記ＴＶ放送ＴＳと独立データ放送ＴＳに分離することにより、１ＴＳあたりの伝送容量を低減しつつデータ放送の受信を開始することができる。
（２）また請求項２、５に記載の発明によれば、ＰＳＩ／ＳＩセクション情報を編集することができるので、分離する前の元のサービス情報（ＰＳＩ／ＳＩセクション）との不整合を吸収することができる。
（３）また請求項３，６に記載の発明によれば、ＰＳＩ／ＳＩセクションの内容を編集することができるので、デジタル放送を放送波以外のネットワークで再送信するにあたり、有料放送のための視聴制限システムが異なる場合に生じる、サービス情報（契約確認情報等）の不整合を吸収することができる。
【図面の簡単な説明】
【００１８】
【図１】本発明を用いたＴＳ分離／セクション編集方法の概要を示す説明図。
【図２】本発明の実施形態例のデジタル放送再送信システムの構成を示すブロック図。
【図３】本発明の実施形態例における要部の処理の流れを示すフローチャート。
【図４】本発明の実施例１におけるＴＳ分離／セクション編集装置ごとの削除対象パケット種別の例を示す説明図。
【図５】本発明の実施例１におけるＴＳ分離に伴うセクション編集内容を示す説明図。
【図６】本発明の実施例１における視聴制限方式の変更に伴うセクション編集項目の一覧を示す説明図。
【図７】本発明の実施例２におけるＴＳ分離／セクション編集装置ごとの削除対象パケット種別の例を示す説明図。
【図８】本発明の実施例２におけるＴＳ分離に伴うセクション編集内容を示す説明図。
【図９】本発明の実施例２における視聴制限方式の変更に伴うセクション編集項目の一覧を示す説明図。
【図１０】従来方式による伝送容量低減のようすを示す説明図。
【発明を実施するための形態】
【００１９】
以下、図面を参照しながら本発明の実施の形態を説明するが、本発明は下記の実施形態例に限定されるものではない。
【００２０】
本実施形態例では、受信したデジタル放送について、２ＴＳに分離し、デジタル放送番組の伝送容量を低減して送出するデジタル放送再送信システムを構成した。
【００２１】
本実施形態例において、システムに入力される番組は、映像、音声、字幕、データ放送、ＰＣＲ、ＰＳＩ／ＳＩなどから構成される。ＴＳの分離は、入力されるデジタル放送ＴＳを分配し、ＴＶ放送ＴＳ、独立データ放送ＴＳ、それぞれについて、不要なＥＳおよびセクションをフィルタリング（削除）することにより行う。ＴＳの分離、および、視聴制限方式の変更に伴い、サービス情報（ＰＳＩ／ＳＩセクション）の不整合が発生する。この不整合を修正するため、ＰＳＩ／ＳＩセクションの編集を行う。
【実施例１】
【００２２】
本実施例１におけるシステムの全体構成を図２に示す。図２において１０１は、デジタル放送を伝送する放送波を受信して復調し、ＭＰＥＧ−２  ＴＳを出力する機能を有する復調装置である。
【００２３】
１０２は、ＭＰＥＧ−２  ＴＳ信号を複数の物理出力に分岐する機能を有する信号分配装置であり、復調装置１０１から入力されたＭＰＥＧ−２  ＴＳを受け取り、同一の内容を、映像符号変換装置１０３、ＴＶ放送用のＴＳ分離／セクション編集装置１０４ａおよび独立データ放送用のＴＳ分離／セクション編集装置１０４ｂに分配して出力する。
【００２４】
なお、以後、ＴＶ放送用のＴＳ分離／セクション編集装置１０４ａをＴＳ分離／セクション編集装置＃１、独立データ放送用のＴＳ分離／セクション編集装置１０４ｂをＴＳ分離／セクション編集装置＃２と表記する。
【００２５】
映像符号変換装置１０３は符号変換機能を有し、信号分配装置１０２から入力されたＭＰＥＧ−２  ＴＳを受け取り、当該ＭＰＥＧ−２  ＴＳに含まれるＭＰＥＧ−２映像信号を、Ｈ．２６４／ＡＶＣ映像に符号変換して出力する。
【００２６】
ＴＶ放送用のＴＳ分離／セクション編集装置＃１（１０４ａ；本発明のＴＶ放送用のＴＳ分離／セクション編集手段）は、信号分配装置１０２から入力されたＭＰＥＧ−２  ＴＳからＴＶ放送サービスに用いるＴＶ放送用のＴＳのみを抽出して出力する機能、不要なＥＳおよびセクションを削除する機能、削除に伴いＰＳＩ／ＳＩセクションの関連パラメタを修正する機能および視聴制限方法の変更にともないＰＳＩセクション、ＳＩセクションを修正する機能を有している。
【００２７】
また、独立データ放送用のＴＳ分離／セクション編集装置＃２（１０４ｂ；本発明の独立データ放送用のＴＳ分離／セクション編集手段）は、信号分配装置１０２から入力されたＭＰＥＧ−２  ＴＳから独立データ放送サービスに用いる独立データ放送用のＴＳのみを抽出して出力する機能、不要なＥＳおよびセクションを削除する機能、削除に伴いＰＳＩ／ＳＩセクションの関連パラメタを修正する機能および視聴制限方法の変更にともないＰＳＩセクション、ＳＩセクションを修正する機能を有している。
【００２８】
尚、前記ＴＳ分離／セクション編集装置＃１、＃２には、ＭＰＥＧ−２  ＴＳパケットのパケット毎のＰＩＤ（Ｐａｃｋｅｔ  ＩＤ）を記録する記録部（図示省略）を備えている。
【００２９】
１０５は、映像符号変換装置１０３から入力されるＴＳと、ＴＶ放送用のＴＳ分離／セクション編集装置＃１から入力されるＴＳを、受信時刻のずれを補正して多重する多重化装置である。前記受信時刻のずれの補正には、それぞれのＴＳに含まれるＰＣＲパケットに含まれる時間情報を用いる。多重したＴＳは、ＩＰ化送出装置１０６に出力する。
【００３０】
ＩＰ化送出装置１０６は、入力されるＴＳをＩＰ化し、ネットワークにマルチキャストにて送出する機能を有し、多重化装置１０５から入力されるＴＳ（ＴＶ放送ＴＳ）と、独立データ放送用のＴＳ分離／セクション編集装置＃２から入力されるＴＳ（独立データ放送ＴＳ）を、それぞれ別のマルチキャストにて送出する。入力されるＴＳパケットのうち、（ＴＳ分離／セクション編集装置で置換された）ＮＵＬＬパケットを削除して送出することにより、１マルチキャストあたりの伝送容量を低減することができる。
【００３１】
ところで、放送波にて放送されているデジタル放送には視聴制限システムとして、Ｂ−ＣＡＳを用いている。放送波にて放送されているデジタル放送を再送信する場合、再送信事業者にて放送波とは別の視聴制限をかけたい場合がある。例えば、有料放送を、再送信事業者と契約した視聴者のみに視聴させたい場合には、再送信事業者が放送波とは別の視聴制限をかけたい場合がある。放送波のデジタル放送ＴＳのＰＳＩ／ＳＩセクションには視聴制限に関わる記述子がいくつかあり、視聴制限方法を変更するためにはこれらの記述子も変更する必要がある。したがって、入力されるデジタル放送ＴＳが視聴制限（スクランブル）されていて、これとは異なる視聴制限方式にて視聴制限（スクランブル）を行う場合には、ＴＳ分離／セクション編集装置にて、ＰＳＩ／ＳＩセクションを編集し、サービス情報の不整合を修正する必要ある。
【００３２】
次に、前記ＴＳ分離／セクション編集装置＃１、＃２の処理の流れを図３のフローチャートとともに説明する。ステップＳ１では、信号分配装置１０２から入力されるデジタル放送番組を構成するＭＰＥＧ−２  ＴＳパケットを受信する。
【００３３】
ステップＳ２では、受信したＴＳパケットに対してパケットヘッダを解析し、パケット毎のＰＩＤを抽出して、パケットとともに出力する。
【００３４】
ステップＳ３−１では、パケット毎のＰＩＤがＰＡＴまたはＰＭＴを示すＰＩＤかどうかを判定し、ＰＡＴパケットまたはＰＭＴパケットではない場合にはステップＳ４に進む。またＰＡＴパケットまたはＰＭＴパケットの場合には、ステップＳ３−２に進む。いずれの場合も、ステップＳ３−１はパケットとパケット毎のＰＩＤを出力する。
【００３５】
ステップＳ３−２では、ステップＳ３−１から受け取ったパケットのパケット毎のＰＩＤが、解析済のＰＡＴ／ＰＭＴパケットとして記録部に記録されたＰＩＤに一致するかどうかを判定する。ステップＳ３−１から受け取ったパケットのパケット毎のＰＩＤが、解析済のＰＡＴ／ＰＭＴパケットとして記録部に記録されたＰＩＤのいずれかに一致する場合、ステップＳ３−１から受け取ったパケットは解析済のＰＡＴ／ＰＭＴパケットとしてステップＳ４にパケットとパケット毎のＰＩＤを渡す。ステップＳ３−１から受け取ったパケットのパケット毎のＰＩＤが、解析済のＰＡＴ／ＰＭＴパケットとして記録部に記録されていない場合、ステップＳ３−１から受け取ったパケットは未解析のＰＡＴ／ＰＭＴパケットとしてステップＳ３−３にパケットとパケット毎のＰＩＤを渡す。
【００３６】
ステップＳ３−３では、ＰＡＴパケット、ＰＭＴパケットの解析を行い、削除対象パケットのＰＩＤ、セクション編集対象パケットのＰＩＤを抽出し、記録部に記録する。また、解析を行ったパケットのＰＩＤを、解析済のＰＩＤとして、記録部に記録し、パケットとパケット毎のＰＩＤをステップＳ４に渡す。
【００３７】
ステップＳ４は、パケットとパケット毎のＰＩＤを受け取り、フィルタリング処理を行う。ステップＳ４では、ステップＳ３から渡されたパケットから、パケットの種類を区別するＰＩＤを抽出し、このＰＩＤが、予め記録部に記録された削除対象パケット種別に該当するか否かを判別する。ステップＳ３−１、Ｓ３−２もしくはＳ３−３から渡されたパケットの種類を区別するＰＩＤが、いずれかの削除対象パケット種別のＰＩＤと等しい場合には、ステップＳ３−１、Ｓ３−２もしくはＳ３−３から渡されたパケットは削除対象パケットであると判別して、Ｓ１１に進む。ステップＳ１１では、パケットを破棄（ＮＵＬＬパケットに置換）し、ステップＳ８に渡し、蓄積を行う。
【００３８】
削除対象のＴＳパケットは、ＴＳ分離／セクション編集装置＃１の場合は独立データ放送ＥＳと独立データ放送ＰＳＩ／ＳＩ、ＴＳ分離／セクション編集装置＃２の場合はＴＶ  ＥＳとＴＶ  ＰＳＩ／ＳＩとなる。
【００３９】
ステップＳ３−１、Ｓ３−２もしくはＳ３−３から渡されたパケットの種類を区別するＰＩＤが、削除対象パケット種別のＰＩＤのいずれとも等しくない場合には、ステップＳ３−１、Ｓ３−２もしくはＳ３−３から渡されたパケットは削除対象パケットではないと判別する。この場合、ステップＳ４はパケット、パケット毎のＰＩＤとパケットの種類を区別するＰＩＤをステップＳ５に渡す。
【００４０】
なお、図４に示すように、ＴＶ放送用のＴＳ分離／セクション編集装置＃１での削除対象パケット種別は、“独立データ放送”および“データ放送ＰＳＩ／ＳＩ”を示すＰＩＤのパケットとする。また、独立データ放送用のＴＳ分離／セクション編集装置＃２での削除対象パケット種別は、“ＴＶ映像”、“ＴＶ音声”、“字幕”、“文字スーパー”、“ＴＶＰＳＩ／ＳＩ”、“連動データ放送”を示すＰＩＤのパケットとする。尚図４において、“削除”と表記されたパケットが、削除対象パケットである。
【００４１】
ステップＳ５では、予め記録部に記録されたセクション編集対象パケットのＰＩＤ情報を基に、セクション編集を行うパケットに該当するか否かを判別する。
【００４２】
この際、ステップＳ４から渡されたパケットの種別を区別するＰＩＤがセクション編集対象パケット種別のＰＩＤと等しい場合には、ステップＳ４から渡されたパケットを編集対象パケットであると判別する。ステップＳ４から渡されたパケットの種類を区別するＰＩＤが編集対象パケット種別のＰＩＤと等しくない場合には、ステップＳ４から渡されたパケットを編集対象パケットではないと判別する。
【００４３】
なお、セクション編集対象のＴＳパケットは、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ），ＣＡＴ（Ｃｏｎｄｉｔｏｎａｌ  Ａｃｃｅｓｓ  Ｔａｂｌｅ），ＳＤＴ（Ｓｅｒｖｉｃｅ  Ｄｅｓｃｒｉｐｔｉｏｎ  Ｔａｂｌｅ）、ＮＩＴ（Ｎｅｔｗｏｒｋ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）となる。セクション編集対象のＴＳパケットは、ステップＳ６に渡す。セクション編集対象でないＴＳパケットは、ステップＳ８に渡し、蓄積を行う。ステップＳ６では、入力されたＴＳパケットのペイロード情報を取り出し、セクション化を行う。
【００４４】
セクション化されたＴＳパケットは、図５に示す「ＴＳ分離に伴うセクション編集内容」および図６に示す「視聴制限方式の変更に伴うセクション編集項目一覧」に基づき、編集を行い、ステップＳ７に渡す。
【００４５】
尚図５は、ＴＳ分離実施に伴い、データ内容の整合性を取るために、ＴＶ放送用のＴＳ分離／セクション編集装置＃１、独立データ放送用のＴＳ分離／セクション編集装置＃２それぞれで、編集を実施するパケットの種別と、編集内容の関係を示している。
【００４６】
ステップＳ７では、編集を行ったセクションを再びＴＳパケット化し、ステップＳ８に渡す。ステップＳ８ではＮＵＬＬ置換を行ったパケットと、編集を行ったＴＳパケットと、編集していないＴＳパケットのうち、送出時刻の早い順に多重する。
【００４７】
次に、ステップＳ９のＴＳ分離／セクション編集装置＃１の場合は、多重したＴＳパケットを多重化装置１０５へ出力する。またステップＳ１０のＴＳ分離／セクション編集装置＃２の場合は、多重したパケットをＩＰ化送出装置１０６へ出力する。
【実施例２】
【００４８】
本実施例２におけるシステムの全体構成は図２と同様であるが、ＴＶ放送用のＴＳ分離／セクション編集装置＃１（１０４ａ）および独立データ放送用のＴＳ分離／セクション編集装置＃２（１０４ｂ）のみが下記のように異なる。
【００４９】
ＴＶ放送用のＴＳ分離／セクション編集装置＃１（１０４ａ；本発明のＴＶ放送用のＴＳ分離／セクション編集手段）は、信号分配装置１０２から入力されたＭＰＥＧ−２  ＴＳから不要なＥＳおよびセクションを削除してＴＶ放送サービスに用いるＴＶ放送用のＴＳのみを抽出して出力する機能、ＥＳおよびセクションの削除に伴いＰＳＩ／ＳＩセクションの関連パラメタを修正する機能および視聴制限方法の変更にともないＰＳＩ／ＳＩセクションの関連パラメタを修正する機能を有している。
【００５０】
また、独立データ放送用のＴＳ分離／セクション編集装置＃２（１０４ｂ；本発明の独立データ放送用のＴＳ分離／セクション編集手段）は、信号分配装置１０２から入力されたＭＰＥＧ−２  ＴＳから不要なＥＳおよびセクションを削除して独立データ放送サービスに用いる独立データ放送用のＴＳのみを抽出して出力する機能、ＥＳおよびセクションの削除に伴いＰＳＩ／ＳＩセクションの関連パラメタを修正する機能および視聴制限方法の変更にともないＰＳＩ／ＳＩセクションの関連パラメタを修正する機能を有している。
【００５１】
尚、前記ＴＳ分離／セクション編集装置＃１、＃２には、ＭＰＥＧ−２  ＴＳパケットのパケット毎のＰＩＤ（Ｐａｃｋｅｔ  ＩＤ）を記録する記録部（図示省略）を備えている。
【００５２】
次に、本実施例２における前記ＴＳ分離／セクション編集装置＃１、＃２の処理の流れを図３のフローチャートとともに説明する。ステップＳ１では、信号分配装置１０２から入力されるデジタル放送番組を構成するＭＰＥＧ−２  ＴＳパケットを受信する。
【００５３】
ステップＳ２では、受信したＴＳパケットに対してパケットヘッダを解析し、パケット毎のＰＩＤを抽出して、パケットとともに出力する。
【００５４】
ステップＳ３−１では、パケット毎のＰＩＤがＰＡＴまたはＰＭＴを示すＰＩＤかどうかを判定し、ＰＡＴパケットまたはＰＭＴパケットではない場合にはステップＳ４に進む。またＰＡＴパケットまたはＰＭＴパケットの場合には、ステップＳ３−２に進む。いずれの場合も、ステップＳ３−１はパケットとパケット毎のＰＩＤを出力する。
【００５５】
ステップＳ３−２では、ステップＳ３−１から受け取ったパケットからセクションを構築する。
【００５６】
構築したセクションが、パケット毎のＰＩＤから判断し、ＰＡＴである場合は、構築したセクションからＰＭＴ  ＰＩＤを取得し、解析済として記録部に記録されたＰＭＴ  ＰＩＤに一致するかどうかを判定する。解析済として記録部に記録されたＰＭＴ  ＰＩＤと一致する場合は、解析済のＰＭＴ  ＰＩＤとしてステップＳ３−３にＰＭＴ  ＰＩＤは渡さない。解析済として記録部に記録されたＰＭＴ  ＰＩＤと一致しない場合は、未解析のＰＭＴ  ＰＩＤとしてステップＳ３−３にＰＭＴ  ＰＩＤを渡す。いずれの場合でも、ステップＳ４に、パケットとパケット毎のＰＩＤを渡す。
【００５７】
構築したセクションが、パケット毎のＰＩＤから判断し、ＰＭＴである場合は、構築したセクションからＥＳ  ＰＩＤを取得し、解析済として記録部に記録されたＥＳ  ＰＩＤに一致するかどうかを判定する。解析済として記録部に記録されたＥＳ  ＰＩＤと一致する場合は、解析済のＥＳ  ＰＩＤとしてステップＳ３−３にＥＳ  ＰＩＤは渡さない。解析済として記録部に記録されたＥＳ  ＰＩＤと一致しない場合は、未解析のＥＳ  ＰＩＤとしてステップＳ３−３にＥＳ  ＰＩＤを渡す。いずれの場合でも、ステップＳ４に、パケットとパケット毎のＰＩＤを渡す。
【００５８】
ステップＳ３−３では、ステップＳ３−２から受け取ったＰＩＤがＰＭＴ  ＰＩＤの場合は、記録部に記録された削除対象ＰＭＴ  ＰＩＤ、および、セクション編集対象ＰＭＴ  ＰＩＤを更新し、記録部に記録する。ステップＳ３−２から受け取ったＰＩＤがＥＳ  ＰＩＤの場合は、記録部に記録された削除対象ＥＳ  ＰＩＤを更新し、記録部に記録する。
【００５９】
ステップＳ４は、パケットとパケット毎のＰＩＤを受け取り、フィルタリング処理を行う。ステップＳ４では、ステップＳ３−１もしくはＳ３−２から渡されたパケット毎のＰＩＤから、予め記録部に記録された削除対象パケット種別のＰＩＤと一致するか確認する。ステップＳ３−１もしくはＳ３−２から渡されたパケット毎のＰＩＤが、いずれかの削除対象パケット種別のＰＩＤと等しい場合には、ステップＳ３−１もしくはＳ３−２から渡されたパケットは削除対象パケットであると判断して、ステップＳ１１に進む。ステップＳ１１では、パケットを破棄（ＮＵＬＬパケットに置換）し、ステップＳ８に渡し、蓄積を行う。
【００６０】
削除対象のＴＳパケットは、ＴＳ分離／セクション編集装置＃１の場合は独立データ放送ＥＳと独立データ放送ＰＳＩ／ＳＩ、ＴＳ分離／セクション編集装置＃２の場合はＴＶ  ＥＳとＴＶ  ＰＳＩ／ＳＩとなる。
【００６１】
ステップＳ３−１もしくはＳ３−２から渡されたパケット毎のＰＩＤが、削除対象パケット種別のＰＩＤのいずれとも等しくない場合には、ステップＳ３−１もしくはＳ３−２から渡されたパケットは削除対象パケットではないと判別する。この場合、ステップＳ４はパケット、パケット毎のＰＩＤをステップＳ５に渡す。
【００６２】
なお、図７に示すように、ＴＶ放送用のＴＳ分離／セクション編集装置＃１での削除対象パケット種別は、“独立データ放送ＥＳ”および“データ放送ＰＳＩ／ＳＩ”を示すＰＩＤのパケットとする。また、独立データ放送用のＴＳ分離／セクション編集装置＃２での削除対象パケット種別は、“ＴＶＥＳ”、“字幕”、“文字スーパー”、“ＴＶＰＳＩ／ＳＩ”、“連動データ放送ＥＳ”を示すＰＩＤのパケットとする。尚図７において、“削除”と表記されたパケットが、削除対象パケットである。
【００６３】
ステップＳ５では、予め記録部に記録されたセクション編集対象パケット種別のＰＩＤ情報を基に、セクション編集を行うパケットに該当するか否かを判別する。
【００６４】
この際、ステップＳ４から渡されたパケット毎のＰＩＤがセクション編集対象パケット種別のＰＩＤと等しい場合には、ステップＳ４から渡されたパケットを編集対象パケットであると判別する。ステップＳ４から渡されたパケット毎のＰＩＤがセクション編集対象パケット種別のＰＩＤと等しくない場合には、ステップＳ４から渡されたパケットを編集対象パケットではないと判別する。
【００６５】
なお、セクション編集対象のＴＳパケットは、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ），ＣＡＴ（Ｃｏｎｄｉｔｏｎａｌ  Ａｃｃｅｓｓ  Ｔａｂｌｅ），ＳＤＴ（Ｓｅｒｖｉｃｅ  Ｄｅｓｃｒｉｐｔｉｏｎ  Ｔａｂｌｅ）、ＮＩＴ（Ｎｅｔｗｏｒｋ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）となる。セクション編集対象のＴＳパケットは、ステップＳ６に渡す。セクション編集対象でないＴＳパケットは、ステップＳ８に渡し、蓄積を行う。ステップＳ６では、入力されたＴＳパケットのペイロード情報を取り出し、セクション化を行う。
【００６６】
セクション化されたＴＳパケットは、図８に示す「ＴＳ分離に伴うセクション編集内容」および図９に示す「視聴制限方式の変更に伴うセクション編集項目一覧」に基づき、編集を行い、ステップＳ７に渡す。
【００６７】
尚図８は、ＴＳ分離実施に伴い、データ内容の整合性を取るために、ＴＶ放送用のＴＳ分離／セクション編集装置＃１、独立データ放送用のＴＳ分離／セクション編集装置＃２それぞれで、編集を実施するパケットの種別と、編集内容の関係を示している。
【００６８】
ステップＳ７では、編集を行ったセクションを再びＴＳパケット化し、ステップＳ８に渡す。ステップＳ８ではＮＵＬＬ置換を行ったパケットと、編集を行ったＴＳパケットと、編集していないＴＳパケットのうち、送出時刻の早い順に多重する。
【００６９】
次に、ステップＳ９のＴＳ分離／セクション編集装置＃１の場合は、多重したＴＳパケットを多重化装置１０５へ出力する。またステップＳ１０のＴＳ分離／セクション編集装置＃２の場合は、多重したパケットをＩＰ化送出装置１０６へ出力する。
【００７０】
また、本実施形態のＴＳ分離／セクション編集装置における各手段の一部もしくは全部の機能をコンピュータのプログラムで構成し、そのプログラムをコンピュータを用いて実行して本発明を実現することができること、本実施形態のＴＳ分離／セクション編集方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ，ＣＤ−ＲＷ，Ｂｌｕ−ｒａｙ  Ｄｉｓｋ（登録商標），ＨＤＤ，リムーバブルディスクなどに記録して、保存したり、配布したりすることが可能である。また、上記のプログラムをインターネットや電子メールなど、ネットワークを通して提供することも可能である。
【００７１】
上記のように本実施形態によれば、デジタル放送のＴＳをＴＶ放送ＴＳと独立データ放送ＴＳの２ＴＳに分離することにより、１ＴＳあたりの伝送容量を低減することができる。
【００７２】
また、従来方式と異なり、データ放送を伝送するＴＳパケットのうち、繰り返し伝送される冗長なものでも削除しないため、伝送容量を低減しつつ、選局直後からデータ放送の受信が可能となる。
【符号の説明】
【００７３】
１０…デジタル放送ＴＳ
１１，１０４ａ…ＴＶ放送用のＴＳ分離／セクション編集装置
１２，１０４ｂ…独立データ放送用のＴＳ分離／セクション編集装置
１３…ＴＶ放送ＴＳ
１４…独立データ放送ＴＳ
１０１…復調装置
１０２…信号分配装置
１０３…映像符号変換装置
１０４ａ…ＴＶ放送用のＴＳ分離／セクション編集装置＃１
１０４ｂ…独立データ放送用のＴＳ分離／セクション編集装置＃２
１０５…多重化装置
１０６…ＩＰ化送出装置。
【図１】
2010011437.tif 000003
【図２】
2010011437.tif 000004
【図３】
2010011437.tif 000005
【図４】
2010011437.tif 000006
【図５】
2010011437.tif 000007
【図６】
2010011437.tif 000008
【図７】
2010011437.tif 000009
【図８】
2010011437.tif 000010
【図９】
2010011437.tif 000011
【図１０】
2010011437.tif 000012